(57)【要約】【課題】赤ちゃんの誕生を祝いその後の成長を楽しむことができ、また心情的にも故人や亡くなったペットを身近に偲ぶことができるとともに、装身具として身に付ることが可能な体毛（産毛）や乳歯を飾りあるいは遺骨や遺髪を祀ることができるメモリアル用品を提供する。【解決手段】  アクリル樹脂等からなる台座３２に、透明なアクリル樹脂等からなる遺影等の表示部３３を着脱可能に設ける。表示部２４は、表側表示部材２４ａと裏側表示部材２４ｂとを備えて接離可能とし、その間に写真等の遺影９を配置して台座３２の凹部３７に嵌め込み、台座２に対して着脱可能に設ける。この遺影９は表示部３３の表面側から見えるようなっている。台座３２には、遺骨を収納したカプセル４を載置する載置部５と装飾物の保持部４０を形成し、この載置部５にカプセル４を持ち出し可能に載置する。【選択図】図１３
2008113941.tif 000002
【特許請求の範囲】
【請求項１】
透明部材又は着色した透明部材からなる台座と、この台座上に保持され透明部材からなるメモリアル対象の表示部と、前記台座上に形成した載置部に持ち運び可能に載置したメモリアル品を収納するメモリアル収納容器と、からなることを特徴とするメモリアル用品。
【請求項２】
前記台座は、装飾物を飾るための保持部を形成したことを特徴とする請求項１記載のメモリアル用品。
【請求項３】
前記装飾物は、プリザードフラワー、生花又は造化等であることを特徴とする請求項２記載のメモリアル用品。
【請求項４】
前記表示部は、１枚の透明部材からなり、その裏面にメモリアル対象をレーザー彫刻又はメモリアル対象の写真を貼り付け前記台座に固設したことを特徴とする請求項１又は２記載のメモリアル用品。
【請求項５】
前記表示部は、接離可能に密接させた２枚の透明部材からなり、その一方の密接面部に収納凹部を形成してメモリアル対象の写真を収納するとともに他方の密接面部にメモリアル対象の記録部をレーザー彫刻し、前記２枚の透明部材を密接させて前記台座に形成した溝部に嵌めて取り外し可能に保持したことを特徴とする請求項１又は２記載のメモリアル用品。
【請求項６】
前記メモリアル対象の記録部は、メモリアル対象が故人の場合には、遺影者の名前、メッセージ、没年月日等をレーザー彫刻により表示したことを特徴とする請求項５記載のメモリアル用品。
【請求項７】
前記メモリアル対象の記録部は、メモリアル対象が誕生や人の成長の場合には、メモリアル対象者の名前、メッセージ、メモリアル年月日、メモリアル対象者の足跡等をレーザー彫刻により表示したことを特徴とする請求項５記載のメモリアル用品。
【請求項８】
前記メモリアル対象の記録部は、メモリアル対象が亡くなったペットの場合、ペットの名前、愛称、メッセージ、没年月日、足跡等をレーザー彫刻により表示したことを特徴とする請求項５記載のメモリアル用品。
【請求項９】
前記表示部は、遺影者の遺作をレーザー彫刻により表示したことを特徴とする請求項１又は２記載のメモリアル用品。
【請求項１０】
前記透明部材は、アクリル樹脂等の合成樹脂材又はガラス材であることを特徴とする請求項１又は２記載のメモリアル用品。
【請求項１１】
前記メモリアル品は、誕生者の体毛（産毛）や抜けた乳歯あるいは遺骨や遺髪であることを特徴とする請求項１記載のメモリアル用品。
【請求項１２】
前記メモリアル収納容器は、カプセル容器であることを特徴とする請求項１記載のメモリアル用品。
【発明の詳細な説明】
【技術分野】
【０００１】
本発明は、赤ちゃんの姿や人の成長を表示しその赤ちゃんの体毛（産毛）やその人の乳歯等を飾り、あるいは亡くなった遺影者やペットを表示しその遺骨や遺髪を祀り、さらに飾ってある体毛（産毛）や乳歯および祀ってある遺骨や遺髪を装飾用として使用することもできるメモリアル用品に関する。
【背景技術】
【０００２】
従来、赤ちゃんの誕生に際して、赤ちゃんの手形や足形、写真等を記念に飾ることが行われており、人が亡くなったりペットが亡くなった場合には、その位牌を拝んで故人やペットの思いを偲ぶことが行われている。
【０００３】
従来、赤ちゃんの誕生を祝うメモリアル用品としては、型取り材を充填する凹形状のケースの周辺部に額縁を取り付け、この額縁に赤ちゃんの写真と写真押さえ板を収納する凹部を設けた透明カバーの周辺部を取り付けて、前記型取り材の表面を前記透明カバーで覆うとともに、前記ケースの背面に支え脚を取り付けた記念飾り具が提案されている。型取り材は可塑性を有しており、手（足）を押し付けて形成した窪みからなる手（足）形を表示するようになっている（特許文献１）。
【０００４】
また、戒名を記載する位牌本体に形成した凹入部に環状枠を固着し、この環状枠に写真を着脱自在に嵌着した写真入位牌が開示されている。環状枠は位牌本体の上部に設けられ（特許文献２参照）、また位牌本体の下部に設けられている（特許文献３参照）。
【０００５】
また、位牌本体又は台座に遺骨を容器に入れて保存するための収納空室を設けた位牌が開示されている（特許文献４参照）。
【０００６】
さらに、装飾部に穿設した孔部に遺骨を入れてこの孔部を閉塞して形成することで、ペンダントとして身に付けることのできる装身具が開示されている（特許文献５参照）。
【０００７】
【特許文献１】実用新案登録第３０５８４８５号公報
【特許文献２】特開平１０−１１３２７７号公報
【特許文献３】特開平１０−１７９３７０号公報
【特許文献４】特開平１１−４６９６８号公報
【特許文献５】特開２００５−６７０５号公報
【発明の開示】
【発明が解決しようとする課題】
【０００８】
しかしながら、前記記念飾り具は、赤ちゃんの写真や足跡等を表示可能であるが、生まれた赤ちゃんの体毛（産毛）を赤ちゃんの写真と共に飾ることはできなかった。さらに、ケースの周辺部に額縁を取り付けるとともに、この額縁に周辺部を取り付けた透明カバーによりケースの表面側を覆っており、構造的に複雑であり、また写真を交換するには透明カバーを額縁から取り外さなければならず、写真の交換には極めて不便であった。また、手（足）形は型取り材で取っているので、シワ等が出にくく写実的に表現できなかったり、手（足）形を取るには、型取り材に赤ちゃんの手（足）を親等が手で持ち動かないように押さえ付けなければならなかった。さらに、記念飾り具は、背面に型取り材が配設されているので透明性がなく、清涼感等に欠けるものであった。
【０００９】
また、一般に、位牌を拝み、故人や亡くなったペットを偲ぶことが行われている。しかし、従来の位牌では、写真や遺骨等を別個に祀っており、位牌を拝む者にとっては直接的に訴える故人への親近感や偲ぶ思い等も薄れがちになる恐れがあった。また、遺骨等を内蔵した装身具は、身に付けて故人やペットを偲ぶことができるが、位牌に祀る構成とはなっておらず、写真や名前等を表示してある位牌と一緒に供養することができなかった。
【００１０】
本発明は、上記の点に鑑みてなされたもので、赤ちゃんの誕生を祝いその後の成長を楽しむことができ、また心情的にも故人や亡くなったペットを身近に偲ぶことができるとともに、装身具として身に付ることが可能な体毛（産毛）や乳歯を飾りあるいは遺骨や遺髪を祀ることができるメモリアル用品を提供することを目的とする。
【課題を解決するための手段】
【００１１】
前記目的を達成するために、請求項１の発明は、透明部材又は着色した透明部材からなる台座と、この台座上に保持され透明部材からなるメモリアル対象の表示部と、前記台座上に形成した載置部に持ち運び可能に載置したメモリアル品を収納するメモリアル容器と、からなることを特徴とする
【００１２】
請求項２の発明は、請求項１のメモリアル用品にあって、前記台座は、装飾物を飾るための保持部を形成したことを特徴とする。
【００１３】
請求項３の発明は、請求項２のメモリアル用品にあって、前記装飾物は、プリザードフラワー、生花又は造化等であることを特徴とする。
【００１４】
請求項４の発明は、請求項１又は２記載のメモリアル用品にあって、前記表示部は、１枚の透明部材からなり、その裏面にメモリアル対象をレーザー彫刻又はメモリアル対象の写真を貼り付け前記台座に固設したことを特徴とする。
【００１５】
請求項５の発明は、請求項１又は２記載のメモリアル用品にあって、前記表示部は、接離可能に密接させた２枚の透明部材からなり、その一方の密接面部に収納凹部を形成してメモリアル対象の写真を収納するとともに他方の密接面部にメモリアル対象の記録部をレーザー彫刻し、前記２枚の透明部材を密接させて前記台座に形成した溝部に嵌めて取り外し可能に保持したことを特徴とする。
【００１６】
請求項６の発明は、請求項５記載のメモリアル用品にあって、前記メモリアル対象の記録部は、メモリアル対象が故人の場合には、遺影者の名前、メッセージ、没年月日等をレーザー彫刻により表示したことを特徴とする。
【００１７】
請求項７の発明は、請求項５記載のメモリアル用品にあって、前記メモリアル対象の記録部は、メモリアル対象が誕生や人の成長の場合には、メモリアル対象者の名前、メッセージ、メモリアル年月日、メモリアル者の足跡等をレーザー彫刻により表示したことを特徴とする。
【００１８】
請求項８の発明は、請求項５のメモリアル用品にあって、前記メモリアル対象の記録部は、メモリアル対象が亡くなったペットの場合、ペットの名前、愛称、メッセージ、没年月日、足跡等をレーザー彫刻により表示したことを特徴とする。
【００１９】
請求項９の発明は、請求項１又は２のメモリアル用品にあって、前記表示部は、遺影者の遺作をレーザー彫刻により表示したことを特徴とする。
【００２０】
請求項１０の発明は、請求項１記載のメモリアル用品にあって、前記透明部材は、アクリル樹脂等の合成樹脂材又はガラス材であることを特徴とする。
【００２１】
請求項１１の発明は、請求項１記載のメモリアル用品にあって、前記メモリアル品は、誕生者の体毛（産毛）や抜けた乳歯あるいは遺骨や遺髪であることを特徴とする。
【００２２】
請求項１２の発明は、請求項１記載のメモリアル用品にあって、前記メモリアル収納容器は、カプセル容器であることを特徴とする。
【発明の効果】
【００２３】
請求項１，４，１０の発明によれば、メモリアル対象者を表示するとともに体毛（産毛）や乳歯を収納したメモリアル容器を飾り、あるいは遺骨や遺髪を収納したメモリアル収納容器を祀ってあるので、メモリアル用品を見ることで赤ちゃんの誕生や成長を実感して楽しむことができ、あるいはメモリアル用品を拝むことで心情的にも故人や亡くなったペットを身近に偲ぶことができる。また、表示部の裏面にメモリアル対象者等を表示することで、透明体を透して赤ちゃんの姿等や遺影等を見ることができるので斬新さと美観性を創出することができる。
【００２４】
請求項２，３の発明によれば、装飾物により常時メモリアル用品を飾ることができる。さらに、プリザードフラワーは、２年位は生花に近い状態でその花の美しさを保つので、長期間花を交換することなく美しい状態でメモリアル用品を飾ることができる。
【００２５】
請求項５の発明によれば、請求項１，４の効果に加え、メモリアル対象者の写真の交換を簡単に行え、その写真により新たな思いを喚起することができる。
【００２６】
請求項６〜８の発明によれば、記録部や表示部に記載してある事柄により赤ちゃんの誕生や人の成長あるいは故人やペットを身近に感じることができる。
【００２７】
請求項９の発明によれば、アクリル樹脂材及びガラス材は透明性を有し及びその透明性を長期間保持できるとともに着色を容易に行うことができる。さらに、アクリル樹脂材おおびガラス材はレーザー加工を容易に行うことができる。
【００２８】
請求項１１の発明によれば、カプセル容器に収納してメモリアル用品に飾ってある体毛（産毛）や乳歯あるいは祀ってある遺骨や遺髪をペンダントや携帯電話のストラップとして用いことができ、常に遺骨を身に付けてメモリアル対象者を思い浮かべることができる。
【発明を実施するための最良の形態】
【００２９】
以下、本発明の実施例を図面とともに説明する。
【実施例１】
【００３０】
本発明の実施例１を図１〜５に基づいて説明する。図１〜５は本実施例のメモリアル用品を示し、図１は斜視図、図２は正面図、図３は平面図、図４は側面図、図５はメモリアル収納容器の載置部を一部省略して示す断面図である。
【００３１】
図に示すように、本実施例のメモリアル用品１は、故人やペットの位牌として用いられ、台座２と、台座２上に設けた表示部３とからなっており、台座２にはメモリアル収納容器として遺骨の一部を収納したカプセル４を祀る載置部５が設けられている。
【００３２】
台座２は、透明部材としてのアクリル樹脂材からなり方形状に形成されている。この台座２は透明又は着色されており、着色は荘厳性を持たせるため黒色が好ましい。台座２上には、台座２の前方にカプセル４を載置するための載置部５が形成されている。カプセル４は、内部に遺骨の収納部を有する円柱形状に形成されるとともに、その両端は略半球状に形成されている。このカプセル４には、遺髪の一部を収納してもよい。カプセル４には、一方の半球状端部中央には係止具（図示省略）が設けられており、載置部５から取り上げてペンダントや携帯電話のストラップとして使用可能になっている。このカプセル４は、以下の実施例においても同様に形成されており、遺骨の一部や遺髪の一部を収納するようになっている。
【００３３】
載置部５は、図５（ａ）に示すように、カプセル４の外周曲面と略等しい曲面５ａに形成されるとともに、カプセル４の長さと略等しくかつカプセル４の半径より浅い凹状に形成されており、カプセル４を載置部５に載置した際には、前記係止部が台座２の上に位置するようになっている。また、載置部５は、図５（ｂ）に示すように、カプセル４の外径より幅を小さくかつその半径より深い凹部５ｂに形成し、凹部５ｂの上端縁部に載置するように構成しても構わない。この載置部５は、以下の実施例においても同様に形成されており、また同様に載置可能となっている。
【００３４】
表示部３は、透明部材としてのアクリル樹脂材からなり方形状に形成されている。この表示部３は透明体となっており、前記載置部５より後方の台座２の上面に垂直に立設固定して設けられている。表示部３の裏面側（台座２の後方側に位置する面）には、位牌に祀る者（あるいはペット）の写真に基づいて遺影９がレーザー彫刻されており、表示部３の表面側から透明体を透して遺影９を見ることができるようになっている。遺影９はレーザー彫刻に限らず、表示部３に印刷しあるいは写真９を貼り付けてもよい。さらに、表示部３の裏面には、遺影者の没年月日、享年、名前等の記録部１０がレーザー彫刻されている。
【００３５】
前記台座２及び前記表示部３は、アクリル樹脂に限られることはなく、透明部材としてガラス材を用いることができる。以下の実施例においても同様である。
【００３６】
本実施例では、メモリアル用品を位牌として用いた場合を説明したが、これに限られることはなく、赤ちゃんの誕生祝いあるいは人の成長を示すメモリアル用品として用いることができる。
【００３７】
この場合、カプセル４内には赤ちゃんの体毛（産毛）や抜けた乳歯を収納する。また、表示部３には赤ちゃんや乳歯が抜けた当時のその人の写真に基づいてその姿をレーザー彫刻し又はその写真を印刷しあるいは貼り付けてもよい。さらに、記録部１０には、赤ちゃんの誕生年月日、名前等または抜歯した年月日やその人の名前等をレーザー彫刻する。
【実施例２】
【００３８】
本発明の実施例２を図６〜１０に基づいて説明する。図６〜１０は本実施例のメモリアル用品を示し、図６は正面図、図７は表示部、図８は平面図、図９は側面図、図１０は表示部の部分拡大断面図である。
【００３９】
本実施例のメモリアル用品２１は、表示部２３が台座２２に対して取り外し可能に設けられている。以下、メモリアル用品２１を位牌として用いる場合を説明する。
【００４０】
表示部２３は、透明なアクリル樹脂材からなる２枚の表示部材２４により形成されている。この２枚の表示部材２４は、表面側表示部材２４ａと裏面側表示部材２４ｂからなっており、表面側表示部材２４ａと裏面側表示部材２４ｂは、表面側表示部材２４ａの裏面と裏面側表示部材２４ｂの表面と重ね合わせて台座２２の凹部２７に下端部を嵌めて台座２２に載置されている。すなわち、表面側表示部材２４ａの裏面と裏面側表示部材２４ｂの表面とは当接され、表面側表示部材２４ａの表面が観察者側に向くようになっており、表示部材２４は台座２２に対して着脱可能に設けられている。
【００４１】
裏面側表示部材２４ｂの表面には収納凹部２５が形成され、この収納凹部２５内に遺影としての写真２６とこの写真２６の上に透明蓋体２７が配設されることで写真表示部２９が形成されている。収納凹部２５と写真２６及び透明蓋体２７は同じ大きさの平面形状で略正方形状に形成され、収納凹部２５内に写真２６と透明蓋体２７をガタツキなく収納し得るようになっている。さらに、収納凹部２５の深さは、写真２６と透明蓋体２７を合わせた厚さと略同じになっており、収納凹部２５内に写真２６と透明蓋体２７を収納した際には、透明蓋体２７の表面が裏面側表示部材２４ｂの表面と一致し、表面側表示部材２４ａと裏面側表示部材２４ｂを重ね合わせて台座２に支持しても、写真２６は勿論、透明蓋体２７も脱落することは全くない。
【００４２】
写真２６は、写真表示部２９に飾るに好適な被写体が映されている写真を選択し、その被写体の上に透明蓋体２７を載置して透明蓋体２７の辺部に沿わせて切断することで、容易に収納凹部２５内に収納できる大きさに切断することができる。また、透明蓋体２７を写真に載置し被写体を選択して写真表示部２９に飾る写真２６にトリミングすることで、最適な構図を容易に得ることができる。
【００４３】
本実施例のメモリアル用品２１がペットを祀る位牌であるときには、表面側表示部材２４ａの裏面には、実施例１と同様に、ペットの没年月日、名前、愛称、メッセージ等の記録部１０とペットの足跡等を表示する足形表示部１１がレーザー彫刻されて表示されている。なお、前記記録部１０及び足跡表示部１１は、裏面側表示部材２４ｂの表面にレーザー彫刻して表示しても構わない。
【００４４】
図７は、故人のメモリアル用品２１に用いる表示部２３を示しており、写真表示部２９、遺影者の没年月日、名前、メッセージ等の記録部１０と、故人が作成した俳句等の遺作を表示する遺作表示部２８が表面側表示部材２４ｂの裏面にレーザー彫刻されて設けられている。遺作としては、俳句、和歌や書道等の遺作を挙げることができる。なお、遺作表示部２８は、遺影者の遺作に限られることはなく、メモリアル用品２１を拝む者が遺影者の思い出や、その人となりを思って作成した和歌等を表示しても構わない。
【００４５】
台座２２は、透明なアクリル樹脂材からなり、方形状に形成され、その後方上面には表示部２３を嵌め込むための凹部２７が形成されている。凹部２７の前後方向の凹面は後方向に傾斜して形成されており、表示部２３の上部側が台座２２の後方へ傾斜させた状態で保持されるようになっている。凹面の傾斜角度は、表示部２３を嵌め込んだ際にメモリアル用品２１が倒れない角度に設定されている。台座２２の形状としては、方形状に限られることはなく、円板状、楕円板状等の適宜な形状を選択することができる。
【００４６】
本実施例では、メモリアル用品を位牌として用いた場合を説明したが、これに限られることはなく、赤ちゃんの誕生祝いあるいは人の成長を示すメモリアル用品として用いることができる。
【００４７】
この場合、カプセル４内には赤ちゃんの体毛（産毛）や抜けた乳歯を収納する。また、写真表示部２９には赤ちゃんや乳歯が抜けた当時のその人の写真に基づいてその姿をレーザー彫刻し又はその写真を印刷しあるいは貼り付けてもよい。さらに、記録表示部１０と足形表示部１１を設ける。記録部１０には、赤ちゃんの誕生年月日、メッセージ、名前等または抜歯した年月日やその人の名前等をレーザー彫刻し、足形表示部１１には生まれた当時の赤ちゃんの足形や手形、また抜歯した当時のその人の手形等をレーザー彫刻する。さらに、遺作表示部２８はメモリアルの表現部２８とし、赤ちゃんの誕生の喜びや乳歯が抜け落ちる成長の喜びを表した俳句、和歌、書道等をレーザー彫刻することができる。
【実施例３】
【００４８】
本発明の実施例３を図１１〜１３に基づいて説明する。図１１〜１３は本実施例のメモリアル用品を示し、図１１は正面図、図１２は平面図、図１３は側面図である。
【００４９】
図に示すように、本実施例のメモリアル用品３１は、装飾物を飾ることができるようにした位牌であり、その他の構成はメモリアル収納容器としてのカプセル４の載置位置以外は実施例２と同様である。
【００５０】
実施例２と同様に、表示部３３は、透明なアクリル樹脂材で形成され、表面側表示部材３４ａと裏面側表示部材３４ｂからなる２枚の表示部材３４により形成されている。この表示部３３は、台座３２の前側に設置されており、表面側表示部材３４ａの裏面と裏面側表示部材３４ｂの表面と重ね合わせて台座３２に形成した溝部としての凹部３７に下端部を嵌められて着脱可能に設けられている。
【００５１】
裏面側表示部材３４ｂの表面には、実施例２と同様に、写真表示部２９が形成されている。表面側表示部材３４ａの裏面には、ペットの没年月日、愛称、名前等の記録部３５と、ペットの足跡を表示する足形表示部３６及びメッセージ表示部３９がレーザー彫刻されて表示されている。なお、前記記録部３５及びメッセージ表示部３９は、裏面側表示部材２４ｂの表面にレーザー彫刻して表示しても構わない。
【００５２】
故人のメモリアル用品３１の場合は、表示部３３は、図７に示す如くの表示部２３を用いる。すなわち、写真表示部２９、遺影者の没年月日、名前、メッセージ等の記録部１０と、故人が作成した俳句等の遺作を表示する遺作表示部２８が表面側表示部材２４ｂの裏面にレーザー彫刻されて設けられている。遺作としては、俳句、和歌や書道等を挙げることができる。なお、遺作表示部２８は、遺影者の遺作に限られることはなく、メモリアル用品３１を拝む者が遺影者の思い出や、その人となりを思って作成した和歌等を表示しても構わない。
【００５３】
台座３２は、方形状に形成され、その前側には表示部３３を嵌め込むための凹部３７が形成され、この凹部３７の後方にメモリアル収納容器の載置部５と装飾物の保持部４０とが順次設けられている。
【００５４】
台座３２には、その前側に表示部３３を着脱可能に嵌め込むための凹部３７が形成されている。凹部３７の凹面は、台座３２の後方へ傾斜させて形成されており、表示部３３を凹部３７に嵌め込むと、表示部３３はその上部側が台座３２の後方へ傾斜させた状態で保持されるようになっている。凹部３７の凹面の傾斜角度は、表示部３３を嵌め込んだ際にメモリアル用品３１が倒れない角度に設定されている。台座３２の形状としては、方形状に限られることはなく、円板状、楕円板状等の適宜な形状を選択することができる。
【００５５】
前記凹部３７の後方には、装飾物を保持する保持部４１が設けられている。保持部４１は、透明な合成樹脂材により上方を開口した箱形状に形成され、その内部に装飾物（図１３ではプリザードフラワー４１）を一部突出させるようにして配置し得るようになっている。装飾物としては、プリザードフラワー、生花、造花等の位牌を飾るに適した物を挙げることができる。例えば、プリザードフラワー４１は、新鮮な生花を用いて生花に近い自然の状態を保つために薬品で処理されており、その色は無害の色素を花自体の力による吸い上げで着色されて自然そのもの形や色合いをほとんど変化させずに２年位の長期間を維持することが可能となっており、メモリアル用品３１を飾る装飾物としては最適である。なお、保持部４１は、透明な合成樹脂材に限られることはなく、透明なガラス材を用いてよいことは勿論である。
【００５６】
台座３２には、前記凹部３７と保持部４１の間に、メモリアル収納容器としてのカプセル４を載置する載置部５が、実施例１と同様に設けられている。
【００５７】
本実施例では、メモリアル用品を位牌として用いた場合を説明したが、これに限られることはなく、前記段落（００４７）で説明したように、赤ちゃんの誕生祝いあるいは人の成長を示すメモリアル用品として用いることができる。
【図面の簡単な説明】
【００５８】
【図１】本発明の実施例１を示す斜視図である。
【図２】本発明の実施例１を示す正面図である。
【図３】本発明の実施例１を示す平面図である。
【図４】本発明の実施例１を示す側面図である。
【図５】メモリアル収納容器の載置部を示す断面図である。
【図６】本発明の実施例２を示す正面図である。
【図７】本発明の表示部を示す一例である。
【図８】実施例２を示す平面図である。
【図９】本発明の実施例２を示す側面図である。
【図１０】本発明の実施例２の表示部を示す部分拡大断面図である。
【図１１】本発明の実施例３を示す正面図である。
【図１２】本発明の実施例３を示す平面図である。
【図１３】本発明の実施例３を示す側面図である。
【符号の説明】
【００５９】
１，２１，３１  メモリアル用品
２，２２，３２  台座
３，２３，３３  表示部
４    カプセル
５    載置部
９，２６  遺影
１０，３５  記録部
１１  足形表示部
２４  表示部材
２４ａ，３４ａ  表面側表示部材
２４ｂ，３４ｂ  裏面側表示部材
２５  収納凹部
２６  写真
２７  蓋部材
２８  遺作表示部
２９  写真表示部
３６  足形表示部
２７，３７  凹部
３９  メッセージ表示部
【図１】
2008113941.tif 000003
【図２】
2008113941.tif 000004
【図３】
2008113941.tif 000005
【図４】
2008113941.tif 000006
【図５】
2008113941.tif 000007
【図６】
2008113941.tif 000008
【図７】
2008113941.tif 000009
【図８】
2008113941.tif 000010
【図９】
2008113941.tif 000011
【図１０】
2008113941.tif 000012
【図１１】
2008113941.tif 000013
【図１２】
2008113941.tif 000014
【図１３】
2008113941.tif 000015